【事件の表示】
　平成　７年特許願第　９６９３９号「ＦＭ多重放送受信機」拒絶査定に対する審判事件［平成　８年１１月　５日出願公開、特開平　８−２９３８０９］について、次のとおり審決する。
【結　論】
　本件審判の請求は、成り立たない。
【理　由】
１．手続の経緯・本願発明
  本願は、平成７年４月２１日の出願であって、請求項１に係る発明（以下、「本願発明」という。）は、明細書及び図面の記載からみて、その特許請求の範囲の請求項１に記載された以下のとおりのものである。
「少なくとも、文字情報をＦＭ多重化しているＦＭ多重放送信号を受信するＦＭ多重放送信号受信部と、受信したＦＭ多重放送信号中の文字情報を記憶する記憶部と、各部の動作を制御する制御部と、複数のプリセットキーと、複数のプリセットキーに対応したプリセットメモリと、表示部とを備え、前記記憶部に記憶された前記文字情報のヘッダデータに基づき、内容種別毎に番組番号とページ番号を前記複数のプリセットキーに割り付けて前記プリセットメモリに記憶させ、前記複数のプリセットキーのいずれかのキーを操作選択すると、選択したキーに対応して前記プリセットメモリに記憶されている番組番号とページ番号で指定される内容種別の文字情報が前記記憶部から読み出され、前記表示部において順次表示されることを特徴とするＦＭ多重放送受信機。」
　
２．刊行物記載の発明
　これに対して、原審における拒絶理由に引用された下記の各刊行物には、以下の事項が記載されている。
（１）刊行物１（特開平６−１８８８４６号公報）
ア．「【請求項１】 ＦＭラジオ放送チャンネルからＦＭ多重放送による文字情報を抽出する受信手段（１１）と、該文字情報の１単位を表示画面上に画像出力する表示手段（１２）と、を有するＦＭ多重放送受信機において、抽出された前記文字情報をその種類ごとに分類して、該種類の指定に応じて呼び出し可能に記憶する記憶手段（１４）と、前記表示画面に画像出力したメニュー表示の中で文字情報の種類ごとに割り当てて該当する種類名を付した表示区分のそれぞれに対応させて設けた選択スイッチ（１７）と、前記選択スイッチ（１７）による指定に応じて前記記憶手段（１４）から該当する種類の１単位の文字情報を呼び出して表示手段（１２）に送出し、前記表示画面のメニュー表示に置き換える制御手段（１５）と、を有することを特徴とするＦＭ多重放送受信機。」（第２頁左欄第２行〜１７行）
　
イ．「【請求項８】 請求項１のＦＭ多重放送受信機において、複数のプリセット受信周波数の表示区分を配置したチューニング表示を前記表示画面上に画像出力するとともに、選択された１つの表示区分の表示を他の指示部分とは異ならせるチューニング表示手段と、前記表示画面上の画像出力を、前記メニュー表示または１単位の文字情報の表示から前記チューニング表示に移行させるモード切替えスィッチと、前記複数のプリセット受信周波数の指示部分のそれぞれに対応させて設けたプリセット局選択スイッチと、前記プリセット局選択スイッチによる局選択に応じてそのときの受信周波数を調整するチューニング調整手段と、を有し、かつ、前記モード切替えスィッチの操作に従動して、前記選択スィッチをプリセット局選択スィッチとして動作させるスィッチモード切替え手段、を設けたことを特徴とするＦＭ多重放送受信機。」（第２頁右欄第９行〜２６行）
　
ウ．「【０００３】ＦＭ多重放送は、自動車の運転者に刻々の交通情報を提供することを主な目的の１つとしており、広い地域内の多数の地点の道路情報や渋滞情報、最新の事故情報、規制情報、気象情報、駐車場の空き情報、特定区間の通過所要時間、注意報、警報等を、放送プログラムとは無関係に１チャンネル単独、または複数のチャンネルに分散させて連続的に放送する。」（第２頁右欄第４９行〜第３頁左欄第５行）
　
エ．「【０００７】
【発明が解決しようとする課題】車載型のＦＭ多重放送受信機では、運転者が自動車を運転しながらＦＭ多重放送受信機を自ら操作して必要な文字情報を選択する場合が多いから、操作が容易で必要な文字情報へのアクセスに集中力を要求されないことが望ましい。
【０００８】運転者が交通情報の受信を決意して、(1) ＦＭ多重放送が送出されているＦＭ放送チャンネルを局選択し、(2) ＦＭ多重放送の受信を表示画面に確認して種々の文字情報から交通情報を選択し、(3) 種々の地点の交通情報の中から必要とする場所の交通情報を選択するまでの一連の操作が煩雑で、表示画面や操作スィッチに対する連続的な集中が必要なＦＭ多重放送受信機は、運転者の注意を周囲の交通状態や運転操作から遠ざけて危険を増大し、運転者に煩雑な印象を与えるばかりか、安全運転上も好ましくない。」（第３頁左欄第３２行〜４７行）
　
オ．「【００１０】本発明は、ＦＭ多重放送の受信を表示画面に確認して、受信された種々の文字情報から必要な情報を選択するまでの一連の操作が容易で、操作にあまり集中を必要とせず、しかも、操作および画像表示の面積が小さくても、必要な操作や文字情報の読み取りを容易に実施できるＦＭ多重放送受信機を提供することを目的としている。」（第３頁右欄第８行〜１４行）
　
カ．「【００２３】図１において、受信手段１１は、ＦＭラジオ放送の１チャンネルの帯域からステレオ音声信号のベースバンド帯域を除いた多重データ帯域を抽出し、ＦＭ変調されたデジタルデータを復調し、誤り検出、符合訂正を行って所定の文字コードで構成された文字情報を再生する。
【００２４】１単位の文字情報は、文字情報の種類や順番（時刻、情報番号等）を区別するヘッダブロックとこれに続く正味のデータブロックとで構成される。記憶手段１４は、受信手段１１から次々に送出される文字情報からヘッダブロックを読み取って文字情報の種類を識別し、種類ごとに分類して文字情報を記憶する。記憶手段１４は、制御手段１５による種類や順番の指定に応じて、該当する種類の文字情報を１単位ずつ出力する。」（第４頁右欄第１７行〜３０行）
　
キ．「【００２６】表示手段１２の表示画面に画像表示されるメニュー表示は、例えば、表示手段１２の内蔵メモリに画像として予め記憶されており、選択スィッチ１７は、メニュー表示における種類ごとの表示区分に対応して直観的に操作可能な状態に配置される。」（第４頁右欄第３６行〜４０行）
　
ク．「選択スイッチ１７と表示区分の対応は、(1) 番号を付したテンキースイッチを配置したリモコンを自動車のハンドルの中心に固定して、メニュー表示における種類名を付した表示区分に対応する０〜９の番号をテンキースィッチに付したり、(2) メニュー表示における表示区分を横一列に配置し、表示画面の枠上にそれぞれの表示区分の下に位置させて押ボタンスィッチを配列することで確保してもよい。」（第４頁右欄第４０行〜４７行）
　
ケ．「【００２７】メニュー表示は、選択スィッチ１７を通じて文字情報の種類の指定操作がなされると、速やかに選択された種類の文字情報に置き換えられる。このとき、制御手段１５は、選択スィッチ１７からの入力に応じて記憶手段１４から１種類の文字情報を１単位だけ呼び出して表示手段１２に送出する。」（第４頁右欄第４８行〜第５頁左欄第３行）
　
コ．「【００３０】別の構成例のＦＭ多重放送受信機では、制御手段が記憶手段に蓄積された文字情報を順番に呼び出してヘッダブロックを読み取り、選択スィッチによるヘッダブロックの指定に合致すれば、この文字情報を表示手段に送出して表示画面に画像表示させる。
メニュー表示画面では、複数の選択スィッチに１対１対応させた表示区分のそれぞれに該当する種類（ジャンル）名を付しており、操作者は、表示画面上で種類名を一覧して、直観的に複数の選択スィッチを操作して必要な種類の文字情報にアクセスできる。」（第５頁左欄第１９行〜２８行）
　
サ．「【００４０】請求項８のＦＭ多重放送受信機では、通常のＦＭ商業放送（ステレオ音声）の受信機の機能を兼ね備えたＦＭ多重放送受信機における操作部分の構成が簡略化される。
すなわち、モード切替えスィッチの操作によって、ＦＭ商業放送の受信調整可能な状態が、ＦＭ多重放送を通じて必要な情報を検索可能な状態に転換され、同時に、(1) 画像表示がチューニング表示からメニュー表示に切り替わり、(2) ＦＭ商業放送の受信調整を行うスィッチ類が、ＦＭ多重放送を通じて必要な情報を検索するスィッチ類にそのまま転用される。」（第６頁左欄第１行〜１０行）
　
シ．「【００５０】図４は第１実施例のＦＭ多重放送受信機の操作パネルの説明図、図５は文字情報の蓄積状態の説明図である。図４中、(a) はメニュー表示状態、(b) は文字情報の表示状態を示す。ここでは、必要な文字情報の種類を選択すると、メニュー画面が文字情報の表示に置き換えられる。
【００５１】図４(a) において、操作パネル３２の液晶表示素子３４には、メニュー表示がなされており、６個の表示区分４４〜４９が横１列に配置され、表示区分４４〜４９のそれぞれに該当する種類名（渋滞、積雪、事故、…）と１〜６の番号が表示される。ここで、例えば、渋滞の表示区分４４の番号１をリモコン３８のテンキースィッチで指定すれば、画面は図４(b) の具体的な１単位の渋滞情報に置き替わる。」（第６頁右欄第３５行〜４８行）
　
ス．「さらに、図４(b) の渋滞情報の状態でアップスクロールスィッチ４１、ダウンスクロールスィッチ４２を操作すれば、液晶表示素子３４には、ＦＭ多重放送受信機に同一種類のくくりで蓄積された別の文字情報が情報番号の順に、または情報番号を順に遡って置き換え表示される。」（第７頁左欄第４行〜９行）
　
セ．「【００５３】図５において、メモリ５１には、図４(a) の６個の表示区分に相当して分類された番地が準備され、データ復号部５２から制御部５３に送出される文字情報は、制御部５３でヘッダブロックの種類データを読み取られ、種類に応じた番地に区分けされて蓄積される。」（第７頁左欄第１０行〜１５行）
　
ソ．「【００５６】図６は、第２実施例のＦＭ多重放送受信機の操作パネルの説明図である。図６中、(a) はＦＭ放送チャンネルをチューニングするモード、(b) はＦＭ多重放送を受信中のモードを示す。ここでは、図３の受信パネルの機能を操作パネル上で実現して、操作パネル上の操作だけでプリセット局のチューニングも実施可能にしている。」（第７頁左欄第行〜４３行）
　
タ．「【００５７】図６(a) において、操作パネル６１には、液晶表示素子６２と、液晶表示素子６２に表示される６個の表示区分６８のそれぞれに重ねて配置したタッチセンサ６９と、受信周波数の表示素子６３と、アップスクロールスィッチ６４と、ダウンスクロールスィッチ６５と、モード切替えスィッチ６６と、メニュースィッチ６７とが配置される。」（第頁右左欄第４４行〜５０行）
　
チ．「【００６０】一方、図６(a) の状態でモードスィッチ６６を操作すれば、そのときのＦＭ再生状態を維持したまま、液晶表示素子６２の表示が図６(b) の状態に移行し、ＦＭ多重放送を通じて記憶された文字情報の検索が可能となる。」（第７頁右欄第２０行〜２４行）
　
ツ．「【００６１】図６(b) において、６個の表示区分６８には文字情報の種類が表示され、該当する表示区分６８に接触してタッチセンサ６９を動作させることによって、必要な種類の文字情報を図４(b) のような形式で画像表示できる。」（第７頁右欄第２５行〜２９行）
　
　上記ア．の事項を参照すると、刊行物１には、
　ＦＭラジオ放送チャンネルからＦＭ多重放送による文字情報を抽出する受信手段（１１）と、抽出された前記文字情報をその種類ごとに分類して、該種類の指定に応じて呼び出し可能に記憶する記憶手段（１４）と、前記選択スイッチ（１７）による指定に応じて前記記憶手段（１４）から該当する種類の１単位の文字情報を呼び出して表示手段（１２）に送出し、前記表示画面のメニュー表示に置き換える制御手段（１５）と、前記表示画面に画像出力したメニュー表示の中で文字情報の種類ごとに割り当てて該当する種類名を付した表示区分のそれぞれに対応させて設けた選択スイッチ（１７）と、該文字情報の１単位を表示画面上に画像出力する表示手段（１２）とを有するＦＭ多重放送受信機が記載されている。
　
　また、上記イ．サ．ソ．及びチ．の事項を参照すると、
　ＦＭ多重放送受信機の選択スイッチをプリセット局選択スィッチとして動作させること、及び、ＦＭ放送の受信調整を行うスイッチ類が、ＦＭ多重放送を通じて必要な検索を行うスイッチ類にそのまま転用されることが記載されており、図６（ａ）のＦＭ放送チャンネルのチューニングと、図６（ｂ）のＦＭ多重放送を受信中の受信パネルの機能とを操作パネル上で実現すること、及び、モードスイッチ６６でこの切り替えを行うことが記載されている。
　
　また、上記ウ．及びシ．の事項を参照すると、
　文字情報の種類は、種類名（渋滞、積雪、事故、…）を意味し、道路情報や渋滞情報、最新の事故情報、規制情報、気象情報、駐車場の空き情報、特定区間の通過所要時間、注意報、警報等であることが記載されている。
　
　また、上記キ．ク．コ．シ．タ．及びツ．の事項を参照すると、
　選択スイッチ１７は、複数の選択スイッチであり、複数の種類名に対応して設けられた複数のテンキースイッチ、複数の押しボタンスイッチ、複数のタッチスイッチであることが記載されている。したがって、刊行物１記載の選択スイッチ１７は、複数の選択スイッチである。
　
　また、上記カ．シ．及びセ．の事項を参照すると、
　記憶手段１４は、文字情報の種類を識別し、種類毎に分類して文字情報を記憶すること、文字状態の蓄積状態としては、メモリ５１には、６個の表示区分に相当して分類された番地が準備され、文字情報は、ヘッダブロックの種類データが読み取られて、種類に応じた番地に区分けされて蓄積されることが記載されている。したがって、刊行物１には、文字情報が分類されて、記憶手段の文字情報に種類に応じた番地に区分けされて記憶されることが記載されている。
　
　また、上記カ．及びコ．の事項を参照すると、
　文字情報は、文字情報の種類や順番（時刻、情報番号等）を区別するヘッダブロックとこれに続く正味のデータブロックとで構成され、記憶手段１４は、受信手段１１から送出される文字情報からヘッダブロックを読み取って文字情報の種類を識別し、種類毎に分類して文字情報を記憶することが記載され、また、制御手段が記憶手段に蓄積された文字情報を順番に呼び出してヘッダブロックを読み取ることも記載されている。したがって、刊行物１には、文字情報のヘッダブロックに基づき、文字情報のデータ及び文字情報が、種類毎に、種類に応じた番地に区分けされて記憶手段に記憶されることが記載されている。
　
　また、上記カ．ケ．シ．ス．及びツ．の事項を参照すると、
　記憶手段１４は、制御手段１５による種類や順番の指定に応じて、該当する種類の文字情報を１単位ずつ出力すること、制御手段１５は、選択スイッチ１７からの入力に応じて記憶手段１４から１種類の文字情報を１単位だけ呼び出して表示手段１２に送出すること、６個の表示区分のそれぞれに該当する種類名に対応した番号をリモコンのテンキースイッチで指定すれば、画面に１単位の文字情報が表示されること、文字情報の種類が表示された６個の表示区分に接触してタッチセンサを動作させることによって必要な種類の文字情報を画像表示することが記載されている。したがって、刊行物１には、複数の選択スイッチの１つを選択操作すると、記憶手段に種類毎に分類された文字情報が記憶手段から読み出され、表示部において表示されることが記載されている。
　
　また、上記ス．の事項を参照すると、
　アップスクロールスィッチ、ダウンスクロールスィッチを操作すれば、液晶表示素子には、ＦＭ多重放送受信機に同一種類のくくりで蓄積された別の文字情報が情報番号の順に、または情報番号を順に遡って置き換え表示されることが記載されている。したがって、刊行物１には、同じ種類の文字情報が順次表示されることが記載されている。
　
　また、上記エ．及びオ．の事項を参照すると、刊行物１には、
　運転者が自動車を運転しながらＦＭ多重放送受信機を自ら操作して必要な文字情報を選択する場合が多いから、受信された種々の文字情報から必要な情報を選択するまでの一連の操作が容易なＦＭ多重放送受信機を提供することを目的としていることが記載されている。
　
　以上を勘案すると、刊行物１には、
　ＦＭラジオ放送チャンネルからＦＭ多重放送による文字情報を抽出する受信手段と、抽出された前記文字情報を記憶する記憶手段と、各部の動作を制御する制御手段と、複数の選択スイッチと、複数の選択スイッチに対応した文字情報の種類毎に分類して、文字情報のデータと文字情報を記憶した記憶手段と、表示手段とを備え、
　前記文字情報のヘッダブロックの情報に基づき、文字情報のデータと文字情報を種類毎に分類して、種類に応じた番地に区分けして記憶手段に記憶させ、前記複数の選択スイッチのいずれかのスイッチを操作選択すると、選択スイッチに対応して前記記憶手段に記憶されている種類毎の文字情報が前記記憶手段から読み出され、前記表示手段において順次表示されるＦＭ多重放送受信機の発明（以下、「刊行物１記載の発明」という。）が記載されている。
　
（２）刊行物２（実願昭１−７３８９０号（実開平３−１２５８４号公報）の願書に添付した明細書及び図面の内容を撮影したマイクロフィルム）
ア．「受信したテレビ放送信号より文字放送信号を分離する文字放送信号分離部と、ＣＰＵ、ＲＯＭ、ＲＡＭより成り、同分離部の出力した文字放送データの記憶、検索、読み出し制御をする制御部と、同制御部が供給する文字放送データによりテレビ画面として表示すべき表示信号に変換する表示信号制御部と、リモコン信号受信部を介したリモコン操作器またはキー入力部の出力する操作指令を読取り、前記制御部に制御指令として出力する入力ポートとを備える文字放送受信機において、前記文字放送信号分離部の出力した文字放送データを同分離部の出力順に前記ＲＡＭの第１の所定領域に記憶し、同データが含む番組番号および頁番号と同データを記憶した前記ＲＡＭのメモリ番地よりなる対照表を前記ＲＡＭの第２の所定領域に記憶し、前記キー入力またはリモコン操作器により指定した番組番号を前記対照表から検索し、指定番組の文字放送データを記憶した前記ＲＡＭ内第１の所定領域のメモリ番地により指定番組の文字放送データを読み出すことを特徴とした文字放送受信機。」（第１頁第５行〜第２頁第５行）　
　
イ．「［考案が解決しようとする課題］
　メモリを受信する番組および頁毎に分割して受信した文字放送を記憶する方式では、未使用の番組や頁のためのメモリも確保する必要があり、コスト的にも無駄の多いものであった。
　また受信した文字放送データを受信順にメモリに記憶する方式では、…多くの検索時間を要し、その間使用者はただ待つのみであった。
　本考案は多量の受信記憶した文字放送データの中から、所望番組の文字放送データを短時間で効率よく検索する手段を提供するものである。」（第３頁第３行〜１９行）
　
ウ．「テレビ放送信号より文字放送信号分離部５で文字放送信号を分離し、符号誤りの訂正処理をして出力した文字放送データを、ＣＰＵ８ａは内部バス１１を介して読み取り、同ＣＰＵ８ａの制御によりＲＡＭ８ｃ内第１の所定領域に受信順に記憶する。」（第３頁第３行〜１９行）
　
エ．「受信した文字放送データの前記ＲＡＭ８ｃへの記憶にあたって、同データに含まれている番組番号および頁番号を読み出し、同番組番号および頁番号と同文字放送データを記憶したＲＡＭ８ｃ内の第１の所定領域のメモリ番地との対照表を作成し、同ＲＡＭ８ｃ内第２の所定領域に記憶する。」（第４頁第１６行〜第５頁第１行）
　
オ．「文字放送の番組選択にあたって、リモコン操作器１４またはキー入力部１３より入力した操作指令を、入力ポート１０を介してＣＰＵ８ａが読み取り、解読して、指定の番組番号を前記前記ＲＡＭ８ｃ内の第２の所定領域に記憶した前記対照表を検索し、指定番組番号に対応するらＭ８ｃ内第１の所定領域のメモリ番地を読み出し、同メモリ番地に記憶してある指定番組の文字放送データを読み出し、内部バス１１を介して表示信号制御部６に転送し、テレビ画面で表示すべき形式の表示信号３に変換して出力する。」（第頁右左上下欄第行乃至第頁右左上下欄第行から抽出）
　
　上記ア．及びイ．の事項を参照すると、刊行物２には、
　文字放送データをＲＡＭの第１の所定領域に記憶し、番組番号および頁番号を前記ＲＡＭの第２の所定領域に記憶して、受信記憶した文字放送データの中から、所望番組の文字放送データを短時間で効率よく検索する文字放送受信機が記載されている。
　
　また、上記ウ．の事項を参照すると、文字放送データを、ＣＰＵの制御によりＲＡＭ内の第１の所定領域に受信順に記憶することが記載されている。
　
　また、上記エ．の事項を参照すると、この記憶にあたって、文字放送データに含まれている番組番号および頁番号を読み出し、ＲＡＭ内の第２の所定領域に記憶することが記載されている。　
　
　更に、上記オ．の事項を参照すると、刊行物２には、
　文字放送の番組選択にあたって、キー入力部から指定の番組番号を入力すると、ＲＡＭの第２の所定領域に記憶されている番組番号と頁番号に対応したＲＡＭの第１の所定領域に記憶した文字放送データを読み出して表示する文字放送受信機が記載されている。
　
　以上を参照すると、刊行物２には、
　受信した文字放送データを記憶するメモリ第１の所定領域と、文字放送データに含まれている番組番号および頁番号を記憶するメモリ第２の所定領域を備え、キー入力部から指定の番組番号を入力すると、ＲＡＭの第２の所定領域に記憶されている番組番号と頁番号に対応したＲＡＭの第１の所定領域に記憶した文字放送データを読み出して表示する文字放送受信機の発明（以下、「刊行物２記載の発明」という。）が記載されている。
　
３．対比
　そこで、本願発明と刊行物１記載の発明とを対比すると、
　
ア．刊行物１記載の発明の「ＦＭラジオ放送チャンネルからＦＭ多重放送による文字情報を抽出する受信手段」は、本願発明の「少なくとも、文字情報をＦＭ多重化しているＦＭ多重放送信号を受信するＦＭ多重放送信号受信部」に相当する。
　
イ．刊行物１記載の発明の「抽出された前記文字情報を記憶する記憶手段」は、本願発明の「受信したＦＭ多重放送信号中の文字情報を記憶する記憶部」に相当する。
　
ウ．刊行物１記載の発明の「各部の動作を制御する制御手段」は、本願発明の「各部の動作を制御する制御部」に相当する。
　
エ．刊行物１記載の発明の「複数の選択スイッチ」は、いずれかのスイッチを操作選択すると文字情報が表示されるものであるキーである点では、本願発明の「プリセットキー」に相当する。
　
オ．刊行物１記載の発明の「文字情報の種類」は、道路情報や渋滞情報、最新の事故情報、規制情報、気象情報等を意味しており、本願発明の「文字情報の内容種別」に相当する。
　
カ．刊行物１記載の発明の「ヘッダブロックの情報」は、文字情報の種類や順番（時刻、情報番号等）を意味し、この情報番号等の中にはページ番号も含まれるから、本願発明の「ヘッダデータ」に相当する。
　
キ．刊行物１記載の発明の「記憶手段」は、複数の選択スイッチに対応した種類に応じた番地に区分けされており、複数のキーに対応したメモリである点では、本願発明の「プリセットメモリ」と一致し、また、刊行物１記載の発明の「記憶手段」は、文字情報のヘッダデータに基づき、内容種別毎に文字情報のデータをメモリに記憶させる点では、本願発明の「プリセットメモリ」と一致している。
　
ク．刊行物１記載の発明の「複数の選択スイッチのいずれかのスイッチを操作選択すると、選択したスイッチに対応して前記記憶手段に記憶されている内容種別の文字情報が前記記憶手段から読み出され、前記表示手段において順次表示される」構成は、
　本願発明の「複数のキーのいずれかのキーを操作選択すると、選択したキーに対応して前記メモリに記憶されている内容種別の文字情報が前記記憶部から読み出され、前記表示部において順次表示される」構成と一致する。
　
　したがって、両者は、以下の点で一致し、以下の各点で相違する。
　
＜一致点＞
　少なくとも、文字情報をＦＭ多重化しているＦＭ多重放送信号を受信するＦＭ多重放送信号受信部と、受信したＦＭ多重放送信号中の文字情報を記憶する記憶部と、各部の動作を制御する制御部と、複数のキーと、複数のキーに対応したメモリと、表示部とを備え、前記文字情報のヘッダデータに基づき、内容種別毎に文字情報のデータをメモリに記憶させ、前記複数のキーのいずれかのキーを操作選択すると、選択したキーに対応して内容種別の文字情報が前記記憶部から読み出され、前記表示部において順次表示されることを特徴とするＦＭ多重放送受信機。
　
＜相違点＞
（ア）複数のキーとメモリが、
　本願発明では、複数のプリセットキーと、複数のプリセットキーに対応したプリセットメモリであるのに対し、
　刊行物１記載の発明では、選択スイッチがプリセットキーであるかどうか明らかでなく、メモリが、文字情報を記憶する記憶手段である点。
　
（イ）ヘッダデータが、
　本願発明では、記憶部に記憶されたものであるのに対し、
　刊行物１記載の発明では、受信された文字情報のものである点
　
（ウ）文字情報のデータをメモリに記憶する際に、
　本願発明では、番組番号とページ番号を、複数のプリセットキーに割り付けてプリセットメモリに記憶させるのに対し、
　刊行物１記載の発明では、文字情報のデータを、文字情報の種類に応じて種類に応じた番地に区分けされた記憶手段に記憶させる点。
　
（エ）キーを選択して内容種別の文字情報を表示する際に、
　本願発明では、文字情報が、プリセットメモリに記憶されている番組番号とページ番号で指定されるのに対し、
　刊行物１記載の発明では、内容種別毎に区分けされた文字情報が指定される点。
　
４．判断
　上記（ア）の相違点については、
刊行物１記載の発明では、選択スイッチをプリセット局選択スィッチとして動作させることも可能であり、刊行物１のシ．の事項を参照すると、受信調整スィッチ類が、検索スィッチ類にそのまま転用されることが記載されているから、
　選択スイッチを、プリセット局選択スィッチと同様の機能を備えた、プリセットキーとすることは当業者が容易に推考することができたものである。
　
　また、文字放送受信装置においてプリセットメモリを設けることは周知技術（例：実願昭６１−１９６２７６号（実開昭６３−１０２３７２号公報）の願書に添付した明細書及び図面の内容を撮影したマイクロフィルム、第１頁第５行〜９行、第１７行〜２０行参照）であり、刊行物１記載の記憶手段とは別に、複数のプリセットキーに対応したプリセットメモリを設けることは当業者が容易に推考することができたものである。
　
　上記（イ）の相違点については、
　刊行物１には、上記コ．の事項を参照すると、記憶手段に蓄積された文字情報を順番に呼び出してヘッダブロックを読み取ることも記載されていて、刊行物１記載の発明では、ヘッダブロックの読み取りは、受信時の文字情報からも記憶された文字情報からも可能であるから、
　受信のヘッダデータに代えて、記憶部に記憶されたヘッダデータを用いるようにすることは、当業者が容易に変更することができたものである。
　
　上記（ウ）及び（オ）の相違点については、
　刊行物２記載の発明では、文字情報のデータとして、番組番号及び頁番号を選択し、これらを文字情報と別のメモリ領域に記憶することが示されており、
　
　また、番組番号等の文字情報のデータを分野別にプリセットメモリに記憶することも周知技術（例：特開昭６２−２００９９２号公報、第１頁左下欄第１１行〜１６行、実願平２−３９７５０号（実開平３−１３０６８２号公報）の願書に添付した明細書及び図面の内容を撮影したマイクロフィルム、第１頁第１３行〜第２頁第２行参照）であるから、
　
　刊行物２記載の発明及び周知技術を参照すれば、刊行物１記載の発明において、
・文字情報のデータとして番組番号とページ番号を選択し、、
・文字情報のデータを、記憶手段の種類毎に区分けされた部分でなく、プリセットメモリに記憶するようにし、
・複数の選択スイッチをプリセットキーとし、文字情報のデータを複数の選択スイッチに割り付けて記憶するように変更し、
・そして、文字情報を、プリセットメモリに記憶されている番組番号とページ番号で指定して読み出して表示するように変更することは、当業者が容易に推考することができたものである。
　
５．むすび
　以上のとおりであるから、本願発明は、刊行物１及び刊行物２記載の発明並びに周知技術に基いて当業者が容易に発明をすることができたものと認められ、特許法第２９条第２項の規定により特許を受けることができない。　
　よって、結論のとおり審決する。